(57)【特許請求の範囲】
【請求項１】
熱交換器で発生したドレン水を貯溜するドレンパンと、
前記ドレンパンに貯溜されたドレン水を吸い上げるドレンポンプと、
前記ドレンポンプにより吸い上げられたドレン水を外部へと排出するための排水配管と、
前記排水配管から前記ドレンポンプを経由せずに前記ドレンパンへと通じる分岐配管と、
前記分岐配管から前記ドレンパンへと戻されるドレン水に含まれる汚れを捕集する汚れ捕集手段と、
前記排水配管の前記ドレンパン側の接続先を、前記ドレンポンプを経由して前記ドレンパンへと通じる第１の流路と、前記分岐配管を経由して前記ドレンパンへと通じる第２の流路とで切り替え可能に設けられた流路切り替え弁と、
前記ドレンポンプの運転時に、前記第１の流路を開きかつ前記第２の流路を閉じるように前記流路切り替え弁を制御し、前記ドレンポンプの停止時に、前記第１の流路を閉じかつ前記第２の流路を開くように前記流路切り替え弁を制御する制御手段と、を備えたことを特徴とする空気調和装置。
【請求項２】
前記ドレンポンプと前記流路切り替え弁との間に介挿され、前記ドレンポンプから前記排水配管へと流れるドレン水流中に微小な気泡を発生させるマイクロバブル発生手段を備え、
前記分岐配管は、前記排水配管から前記ドレンポンプ及び前記マイクロバブル発生手段を経由せずに前記ドレンパンへと通じて設けられ、
前記第１の流路は、前記排水配管から前記ドレンポンプ及び前記マイクロバブル発生手段を経由して前記ドレンパンへと通じる流路であり、
前記制御手段は、前記ドレンポンプの運転時に、前記第１の流路を開きかつ前記第２の流路を閉じるように前記流路切り替え弁を制御するとともに前記マイクロバブル発生手段を動作させるように制御し、前記ドレンポンプの停止時に、前記第１の流路を閉じかつ前記第２の流路を開くように前記流路切り替え弁を制御することを特徴とする請求項１に記載の空気調和装置。
【請求項３】
前記汚れ捕集手段は、ドレン水を前記ドレンパンへと流すための所定の開口率を有する開口部を備えたことを特徴とする請求項１又は請求項２のいずれかに記載の空気調和装置。
【請求項４】
前記汚れ捕集手段に設けられた抗菌剤を備えたことを特徴とする請求項１から請求項３のいずれかに記載の空気調和装置。
【請求項５】
前記汚れ捕集手段は、抗菌剤が混合された樹脂により成型されていることを特徴とする請求項１から請求項４のいずれかに記載の空気調和装置。
【請求項６】
前記汚れ捕集手段に捕集された汚れに対して所定の波長の紫外線を照射する光源を備えたことを特徴とする請求項１から請求項５のいずれかに記載の空気調和装置。
【発明の詳細な説明】
【技術分野】
【０００１】
この発明は、空気調和装置に関するものである。
【背景技術】
【０００２】
空調機が熱交換器に空気を通過させて所定の温度に調整する際、空気中に含まれる多くの塵、カビ、菌等が熱交換器の表面に付着する。そして、特に、冷房時には熱交換器の表面に多量の凝縮水が発生し、発生した凝縮水がドレンパンへと落ちて集められる際には、熱交換器の表面に付着したこれら塵、カビ、菌等の付着物も一緒にドレンパンに蓄積される。
【０００３】
このようにして、ドレンパン内のドレン水中は多くの汚れが蓄積されており、カビや菌等の微生物にとっては栄養状態が良好で繁殖に適した環境となってしまうことも多い。特に、高温高湿な好条件が重なる梅雨から夏季の時期ではドレン水量も多くなり、ドレン水中や配管内部では微生物の繁殖が活発化するため、臭いを発生したり、粘性状のスライムが発生して配管やポンプを詰まらせる不具合が頻繁に生じてしまうことがある。
【０００４】
図８は、従来の空調機におけるドレンパン内のドレン水に汚れが蓄積する過程を説明する図である。まず、前記したようにドレンパン８内のドレン水中には、多くの汚れ１８が含まれている。そして、ドレンポンプ１０を運転し、ドレンパン８内のドレン水を排水配管１１へと吸い上げると、ドレン水とともにドレン水中の汚れ１８も排水配管１１へと移動する。排水配管１１へと移動した汚れ１８は排水配管１１の内壁に付着する（図８の（ａ））。
【０００５】
ドレンポンプ１０の運転を停止すると、排水配管１１内に残っている水が主に重力の作用によりドレンパン８側へと逆流する。この排水配管１１からドレンパン８側へと逆流する水のことを以後「戻り水」という。戻り水が発生する際には、戻り水の水流により、排水配管１１内に蓄積した汚れ１８もドレンパン８側へと流される。このため、ドレンパン８内のドレン水１９中には、大量の汚れ１８（塵やカビ・菌といった微生物等）が溜まり、粘性状のスライムが発生しやすくなる（図８の（ｂ））。
【０００６】
ドレンポンプ１０の運転を再開すると、ドレン水１９とともにスライムを含む汚れ１８も吸い上げ、ドレンポンプ１０内や排水配管１１内にこの汚れ１８が付着・蓄積する（図８の（ｃ））。そして、再びドレンポンプ１０の運転を停止すると、排水配管１１からドレンパン８へと戻り水が発生し、この際に、排水配管１１内に蓄積した汚れ１８がドレンパン８へと流される。
【０００７】
このようにして、ドレンポンプ１０の間欠的な運転を繰り返すことにより、ドレンパン８と排水配管１１との間でドレン水１９と汚れ１８が往復することとなる。そして、この過程において、汚れ１８、特に粘性状のスライムがドレンポンプ１０や排水配管１１内部等で詰まり、ドレンポンプ１０の運転異常や排水不良といった不具合が生じてしまう（図８の（ｄ））。
【０００８】
そこで、従来の空気調和装置のドレン排水装置においては、空気調和装置の運転中にドレンポンプによりドレンパン内のドレン水を循環経路を通じて循環させ、水位検出センサーによりドレンパン内に溜まったドレン水の水位が排水水位に達したことが検出されると、電磁弁を作動させてドレンパンの循環経路を排水経路に切り替えてドレン水を排水するものが知られている（例えば、特許文献１参照）。
【０００９】
また、ドレン水の排水配管にドレン水の逆流（戻り水）を阻止する逆止弁を設けた空気調和装置において、逆止弁を完全には密閉させずに排水配管内のドレン水を徐々にドレンパンに戻して排水配管内にドレン水が滞留しないようにしたものも従来において知られている（例えば、特許文献２参照）。
【００１０】
さらにまた、空気調和装置とは別個に設けられるドレンアップポンプにおいて、ドレンパンから排出されるドレン水を溜める容器の内部にドレン水をろ過するフィルターを設け、ポンプ本体により容器内のろ過されたドレンを汲み上げるようにしたものも従来において知られている（例えば、特許文献３参照）。
【先行技術文献】
【特許文献】
【００１１】
【特許文献１】特開平０９−３１０８７９号公報
【特許文献２】特開２０１０−１６４２０５号公報
【特許文献３】特許第３０５８１３７号公報
【発明の概要】
【発明が解決しようとする課題】
【００１２】
しかしながら、特許文献１に示された従来技術においては、循環により発生させた水流ではドレンパンに付着した汚れを除去することはできないという課題がある。（これは水流のある配管内の壁面に汚れが付着するのと同様の事情である）。なお、菌・カビ類の繁殖は水分と酸素とが存在する箇所で起こりやすく、ドレンパン内では特に喫水線の部分で最も発生しやすい傾向がある。
【００１３】
また、空気調和装置の運転中にドレンパン内の汚れを含む水をドレンポンプで循環させ続けるためドレンポンプで詰まりが発生するリスクが高いという課題もある。さらに、ドレンポンプによりドレン水を循環させることで、ドレンパン内のドレン水を撹拌することになるため、ドレンパン内のドレン水中を極めてカビや菌が繁殖しやすい状態にしてしまうという課題もある。
【００１４】
特許文献２に示された従来技術においては、排水配管内のドレン水を徐々にドレンパンへと戻すために、逆止弁部は完全には閉じずに僅かに隙間ができている。しかし、そのため、排水管内の汚れが逆止弁部に引っ掛かり目詰まりが発生するおそれがあるという課題がある。
【００１５】
特許文献３に示された従来技術においては、空気調和装置とは別個にフィルター付きの容器やドレンポンプを設置するため、部品数の増加に伴う製造費用の増加や配管の引き回し等を含む構造の複雑化が生じるという課題がある。また、ドレンパンからフィルター付き容器へのドレン水の移動は重力によるため、ドレンパンで蓄積した汚れや発生したスライムがドレンパンからフィルター付き容器までの間の配管内で引っ掛り、配管詰まりを発生させる可能性がある。
【００１６】
さらに、戻り水に含まれる汚れによりポンプ詰まりが発生するおそれがあるという課題もある。これについては、特に、永年使用あるいは既設配管を利用する（いわゆるリプレイスする）場合、排水配管内に溜まった汚れがドレンパンに逆流して衛生性維持が困難になる状況が発生し、こうした汚れがドレンポンプに詰まって不具合を発生させる可能性が非常に懸念される。
【００１７】
この発明は、このような課題を解決するためになされたもので、ドレンポンプでの詰まりを防止するとともにドレンパン内の衛生状態を良好に保つことができる空気調和装置を得るものである。
【課題を解決するための手段】
【００１８】
この発明に係る空気調和装置においては、熱交換器で発生したドレン水を貯溜するドレンパンと、前記ドレンパンに貯溜されたドレン水を吸い上げるドレンポンプと、前記ドレンポンプにより吸い上げられたドレン水を外部へと排出するための排水配管と、前記排水配管から前記ドレンポンプを経由せずに前記ドレンパンへと通じる分岐配管と、前記分岐配管から前記ドレンパンへと戻されるドレン水に含まれる汚れを捕集する汚れ捕集手段と、前記排水配管の前記ドレンパン側の接続先を、前記ドレンポンプを経由して前記ドレンパンへと通じる第１の流路と、前記分岐配管を経由して前記ドレンパンへと通じる第２の流路とで切り替え可能に設けられた流路切り替え弁と、前記ドレンポンプの運転時に、前記第１の流路を開きかつ前記第２の流路を閉じるように前記流路切り替え弁を制御し、前記ドレンポンプの停止時に、前記第１の流路を閉じかつ前記第２の流路を開くように前記流路切り替え弁を制御する制御手段と、を備えた構成とする。
【発明の効果】
【００１９】
この発明に係る空気調和装置においては、ドレンポンプでの詰まりを防止するとともにドレンパン内の衛生状態を良好に保つことができるという効果を奏する。
【図面の簡単な説明】
【００２０】
【図１】この発明の実施の形態１に係る天井埋込型の空気調和装置（室内機）を室内から見た視点で示す斜視図である。
【図２】この発明の実施の形態１に係る空気調和装置の横断面図である。
【図３】この発明の実施の形態１に係る空気調和装置の縦断面図である。
【図４】この発明の実施の形態１に係る空気調和装置のドレンポンプ運転時における要部（ドレンパイプ付近）を拡大して示す断面図である。
【図５】この発明の実施の形態１に係る空気調和装置のドレンポンプ停止時における要部（ドレンパイプ付近）を拡大して示す断面図である。
【図６】この発明の実施の形態１に係る空気調和装置のドレンポンプの電源ＯＦＦ時における要部（ドレンパイプ付近）を拡大して示す断面図である。
【図７】この発明の実施の形態２に係る空気調和装置のドレンポンプ停止時における要部（ドレンパイプ付近）を拡大して示す断面図である。
【図８】従来の空気調和装置においてドレンポンプの間欠運転を繰り返した際に汚れが蓄積する様子を模式的に説明する図である。
【発明を実施するための形態】
【００２１】
この発明を添付の図面に従い説明する。各図を通じて同符号は同一部分又は相当部分を示しており、その重複説明は適宜に簡略化又は省略する。
【００２２】
実施の形態１．
図１から図６は、この発明の実施の形態１に係るもので、図１は天井埋込型の空気調和装置（室内機）を室内から見た視点で示す斜視図、図２は空気調和装置の横断面図、図３は空気調和装置の縦断面図、図４は空気調和装置のドレンポンプ運転時における要部（ドレンパイプ付近）を拡大して示す断面図、図５は空気調和装置のドレンポンプ停止時における要部（ドレンパイプ付近）を拡大して示す断面図、図６は空気調和装置のドレンポンプの電源ＯＦＦ時における要部（ドレンパイプ付近）を拡大して示す断面図である。
【００２３】
ここでは、空気調和装置として天井埋込型のものを例として取り挙げて説明する。ただし、ここで説明する天井埋込型の空気調和装置はあくまでも一例であり、これに限定されるものではない。図１に示すように、部屋１の天井に空気調和装置２（室内機）が埋設されている。空気調和装置２は大きく分けて天井に埋め込まれた本体３と、この本体３の下面に取り付けられ天井において部屋１内に露出する化粧パネル４とから構成されている。
【００２４】
化粧パネル４は略四角形状であり、その略中央部には略四角形状のグリルからなるパネル吸込口４ａが設けられている。そして、化粧パネル４における略四角形状の各辺に沿った内側で、かつ、パネル吸込口４ａの略四角形状の各辺の外側には、パネル吹出口４ｂが計４つ設けられている。各パネル吹出口４ｂには、吹き出し風の風向を制御するベーン５が設けられている。なお、本体３に化粧パネル４を取り付けた状態で、パネル吸込口４ａは後述する本体吸込口３ａに、パネル吹出口４ｂは同じく後述する本体吹出口３ｂに、それぞれ連通される。
【００２５】
図２及び図３に示すように、横断面形状が略四角形状の本体３には、その略四角形状の各辺に沿って本体吹出口３ｂが形成されている。そして、本体３の略中央部には遠心送風機からなる送風機６が設置されている。送風機６は、吸込側が下方に向けられたターボファンからなるファン６ａと、このファン６ａを回転駆動するファンモータ６ｂとを備えている。ファンモータ６ｂは、本体３の天面側に取り付けられており、ファン６ａの下方には、ファン６ａへ空気を導入するためのベルマウス９が取り付けられている。このベルマウス９の開口部の下側が本体吸込口３ａである。
【００２６】
本体３内には、ファン６ａを囲むように略環状（より正確には、一箇所が切り離された略Ｃ字状）に配置された熱交換器７が設置されている。熱交換器７は、図示しない室外機に設けられた冷媒を圧縮する圧縮機等とともに冷凍サイクルを構成するものである。熱交換器７では、ファン６ａによりパネル吸込口４ａ（本体吸込口３ａ）から吸い込まれる部屋１内の空気と冷凍サイクルにある冷媒との間で熱交換を行い冷気又は暖気が生成される。
【００２７】
熱交換器７の下方には、熱交換器７における熱交換過程において空気が冷やされることにより当該空気中の水分が凝結して発生した凝縮水（ドレン水）を受けるためのドレンパン８が設置されている。
【００２８】
本体吹出口３ｂは、これらの熱交換器７及びドレンパン８の外側に配置され、熱交換器７の２次側と部屋１内とを連通させている。前述したように、本体吹出口３ｂはパネル吹出口４ｂと連通しており、パネル吹出口４ｂには、熱交換器７（及び送風機６）で生成された冷風又は温風の吹き出し方向の調整するためのベーン５が取り付けられている。このベーン５の形状は、パネル吹出口４ｂと略同形である。これは、ベーン５が閉じた状態でパネル吹出口４ｂをほぼ塞ぐことができるよう、意匠性を考慮したことによるものである。なお、化粧パネル４の略中央の開口部には、略四角形状のグリルが取り付けられて、パネル吸込口４ａが形成されている。このグリルは、例えば爪等により化粧パネル４に係合される。
【００２９】
本体３内における横断面略四角形状の一隅には、ドレンパン８内に貯溜されたドレン水を吸い上げて本体３外へ排出するためのドレンポンプ１０が設置されている。
図４から図６は、ドレンパン８のドレンポンプ１０設置箇所付近を拡大して示す断面図である。ドレンパン８には、熱交換器７で凝縮された水分がドレン水となって貯溜されている。ドレンパン８におけるドレンポンプ１０の略直下の部分は、凹部８ａとなっており、この凹部８ａがドレンパン８の最深部になっている。ドレンポンプ１０のポンプ吸込口１０ａは、この凹部８ａの直上に設けられる。
【００３０】
ドレンポンプ１０によりドレンパン８から吸い上げられたドレン水は排水配管１１を通じて空気調和装置２の外部へと排出される。ドレンポンプ１０と排水配管１１との間にはマイクロバブル発生器１２が取り付けられている。マイクロバブル発生器１２は、マイクロバブル発生器１２を通過するドレン水流中の特に排水配管１１側の方向にマイクロバブル１３を発生させるものである。
【００３１】
マイクロバブル１３は、直径が数１０ミクロンのバブルと、１０ミクロン以下の微小サイズのバブルを含んでいる。マイクロバブル１３は、排水配管１１の内壁面に付着する汚れや菌を除去する配管洗浄機能と、ドレン水中の菌やカビを殺菌する殺菌・殺真菌機能を持っている。このため、排水配管１１内の衛生性を維持することができる。
【００３２】
マイクロバブル発生器１２は、ドレンポンプ１０の性能に合わせて最適設計されている。その構造は、高速旋回流方式（気液二相流体を超高速旋回させ、ノズル出口付近で遠心力作用により切断・粉砕することでバブルを発生させる方式）や加圧溶解方式（気体を加圧して水中に溶解し、減圧開放してバブルを発生させる方式）等のいずれの方式を用いてもよい。ただし、装置のサイズ、コストや信頼性といった観点から高速旋回流方式がより好ましい。
【００３３】
さらに、マイクロバブル発生器１２と排水配管１１との間には、流路切り替え弁１４が介挿されている。流路切り替え弁１４は、排水配管１１のドレンパン８側の接続先を、ドレンポンプ１０及びマイクロバブル発生器１２を経由してドレンパン８へと通じる第１の流路と、分岐配管１５を経由してドレンパン８へと通じる第２の流路との間で切り替える三方弁である。
【００３４】
分岐配管１５により形成される前記第２の流路は、流路切り替え弁１４からドレンポンプ１０及びマイクロバブル発生器１２を経由せずにドレンパン８へと通じる流路である。そして、分岐配管１５からドレンパン８への出口部には、フィルター状の開孔を有する容器状構造物からなる汚れ捕集部１６が取り付けられている。
【００３５】
この汚れ捕集部１６は、ドレンパン８内の任意の場所に設置することができる。そして、汚れ捕集部１６は、汚れのみを捕集することができるように水逃がし用の開孔あるいは開口部が前記容器状構造物の少なくとも一部分に設けられている。この開口部の開口率を適宜調整することで、ドレン水の流れを妨げることがない範囲で、汚れ捕集部１６に捕集する汚れのサイズを設定することができる。
【００３６】
この容器状構造物の構成材料は樹脂又は金属が用いられる。樹脂を用いる場合は、汎用プラスチック（ＰＰ、ＡＢＳなど）で成型し、この際に樹脂に抗菌剤を練り込むことで抗菌性を備えるようにすることが衛生性上好ましい。また、金属を用いる場合は、錆びなどの腐食に高い耐性を有するものであれば種類は限定されない。なお、樹脂に抗菌剤を練り込む他に、水溶性を有する抗菌剤（有機系もしくは無機系又はこれらの混合）を包装して容器内に設置する構成としてもよい。
【００３７】
ドレンポンプ１０、マイクロバブル発生器１２及び流路切り替え弁１４は、図示しない制御装置によりこれらの動作が連動するように制御されている。具体的には、この制御装置は、ドレンポンプ１０の運転時には、マイクロバブル発生器１２も運転するとともに、排水配管１１がドレンポンプ１０及びマイクロバブル発生器１２を経由してドレンパン８へと通じる前記第１の流路を開き、分岐配管１５を経由してドレンパン８へと通じる前記第２の流路を閉じるように流路切り替え弁１４を制御する。
【００３８】
また、制御装置は、ドレンポンプ１０の停止時には、マイクロバブル発生器１２も停止するとともに、排水配管１１が分岐配管１５を経由してドレンパン８へと通じる前記第２の流路を開き、ドレンポンプ１０及びマイクロバブル発生器１２を経由してドレンパン８へと通じる前記第１の流路を閉じるように流路切り替え弁１４を制御する。
【００３９】
なお、排水配管１１のうち、特に、図１中の破線Ａより空気調和装置２の外部側、内壁部を斜線で示す部分は既設配管１１ａである。すなわち、ここで説明する例においては、既設配管１１ａを活用してドレンポンプ１０や空気調和装置２を新規のものに交換した（リプレイスした）場合を想定している。
【００４０】
以上のように構成された空気調和装置の動作を説明する。まず、ドレンポンプ１０の運転時においては、流路切り替え弁１４により、ドレンパン８からドレンポンプ１０及びマイクロバブル発生器１２を経由して排水配管１１へと通じる前記第１の流路が開かれる（このとき前記第２の流路は閉じられる）。したがって、ドレンポンプ１０によりドレンパン８から吸い上げられたドレン水は、マイクロバブル発生器１２、流路切り替え弁１４を経由して排水配管１１から空気調和装置２の外部へと排出される（図１に実線の矢印で示す流路）。
【００４１】
そして、この際、マイクロバブル発生器１２も運転されるため、ドレン水は、マイクロバブル発生器１２により発生されたマイクロバブル１３を含んだ状態で排水配管１１内を流れていく。このため、前述したマイクロバブル１３の配管洗浄機能により排水配管１１の内壁面に付着する汚れ、スライムや菌類等が除去されるとともに、殺菌・殺真菌機能によりドレン水中の菌やカビが殺菌される。排水配管１１の内壁面から除去された汚れ等は、ドレン水とともに空気調和装置２の外部に排出される。
【００４２】
次に、ドレンポンプ１０を停止すると、流路切り替え弁１４により、排水配管１１から分岐配管１５を経由してドレンパン８へと通じる前記第２の流路が開かれる（このとき前記第１の流路は閉じられる）。ドレンポンプ１０が停止した際には、排水配管１１内に残っているドレン水が主に重力の作用によりドレンパン８側へと逆流し戻り水が発生する。この際、流路切り替え弁１４により前記第１の流路は閉じられているため、この汚れを含む戻り水がドレンポンプ１０やマイクロバブル発生器１２を通過することはない。この戻り水は流路切り替え弁１４から前記第２の経路である分岐配管１５を経由してドレンパン８へと戻される（図２に破線の矢印で示す流路）。
【００４３】
この前記第２の経路である分岐配管１５を経由してドレンパン８へ戻ってくる戻り水には、マイクロバブル１３の作用により排水配管１１の内壁面から剥がされた汚れや元々ドレン水に含まれていた汚れが含まれている。この分岐配管１５を経由した戻り水は、ドレンパン８へと戻される際に汚れ捕集部１６を通過する。そして、汚れ捕集部１６を通過する際に、戻り水に含まれているスライム等の比較的サイズの大きな汚れは、汚れ捕集部１６により捕集される。こうして、汚れ捕集部１６によりサイズが比較的大きい汚れが除去された戻り水が、ドレンパン８へと戻される（図３に点線の矢印で示す流路）。
【００４４】
なお、こうしてドレンポンプ１０の間欠的な運転を続けていくと、次第に汚れ捕集部１６に汚れが溜まっていく。汚れ捕集部１６に溜まった汚れは、蓄積して汚れ捕集部１６の開口部を閉塞し、ドレン水の滞溜、汚れの漏洩や臭いを発生する等の不具合のおそれがある。そこで、定期的なメンテナンスで汚れ捕集部１６に溜まった汚れを清掃除去することが好ましい。
【００４５】
以上のように構成された空気調和装置は、熱交換器で発生したドレン水を貯溜するドレンパンと、ドレンパンに貯溜されたドレン水を吸い上げるドレンポンプと、ドレンポンプにより吸い上げられたドレン水を外部へと排出するための排水配管と、排水配管からドレンポンプを経由せずにドレンパンへと通じる分岐配管と、分岐配管からドレンパンへと戻されるドレン水に含まれる汚れを捕集する汚れ捕集部と、排水配管のドレンパン側の接続先を、ドレンポンプを経由してドレンパンへと通じる第１の流路と、分岐配管を経由してドレンパンへと通じる第２の流路とで切り替え可能に設けられた流路切り替え弁と、ドレンポンプの運転時に、第１の流路を開きかつ第２の流路を閉じるように流路切り替え弁を制御し、ドレンポンプの停止時に、第１の流路を閉じかつ第２の流路を開くように流路切り替え弁を制御する制御手段と、を備えている。
【００４６】
このため、ドレンポンプの運転を停止した際に生じる排水配管からの戻り水を、ドレンポンプを通過させることなく、かつ、この戻り水に含まれる汚れを除去した上で、ドレンパンへと戻すことができる。したがって、ドレンポンプでの詰まりを防止するとともにドレンパン内の衛生状態を良好に保つことができる。
【００４７】
また、ドレンポンプと流路切り替え弁との間に介挿され、ドレンポンプから排水配管へと流れるドレン水流中に微小な気泡を発生させるマイクロバブル発生器をさらに備え、戻り水をドレンポンプ及びマイクロバブル発生器を通過させることなくドレンパンへと戻すようにしたことで、排水配管内の汚れの蓄積を防止し、排水配管内の衛生状態も良好に保つことができる。
【００４８】
実施の形態２．
図７は、この発明の実施の形態２に係るもので、空気調和装置のドレンポンプ停止時における要部（ドレンパイプ付近）を拡大して示す断面図である。
ここで説明する実施の形態２は、前述した実施の形態１の構成に加えて、汚れ捕集部に捕集された汚れに対して紫外線を照射するＵＶ光源を設け、汚れ捕集部における殺菌性能を向上させるようにしたものである。
【００４９】
すなわち、図７に示すように、汚れ捕集部１６に対して所定の波長の紫外線を照射するためのＵＶ光源１７が設置されている。このＵＶ光源１７は放電ランプ及びＬＥＤのいずれでも良い。ＵＶ光源１７は水濡れの可能性が高い場所に設置されるため、このＵＶ光源１７に電力を供給する電源との接続端子部には防水処理が施されている。ＵＶ光源１７として放電ランプを用いた場合は、放電ランプから照射される波長を適宜選択することでオゾンを発生させることで、殺菌効果を高めることができる。
他の構成については実施の形態１と同様であって、その詳細説明は省略する。
【００５０】
なお、ＵＶ光源１７の代わりにオゾナイザを用い、高濃度のオゾンやラジカルにより殺菌するようにしてもよい。この場合、構成部品への劣化影響の無い濃度で使用するようにする。例えば、オゾナイザを常時動作させるのではなく、間欠的に動作させるようにする等してオゾンやラジカルの濃度を調整すればよい。
【００５１】
以上のように構成された空気調和装置は、実施の形態１の構成において、汚れ捕集部に捕集された汚れに対して所定の波長の紫外線を照射する光源をさらに備えたものである。このため、実施の形態１と同様の効果を奏することができるのに加えて、さらに、汚れ捕集部に蓄積される汚れでの菌の繁殖等を防止して衛生性を向上させることが可能である。
【符号の説明】
【００５２】
１    部屋
２    空気調和装置
３    本体
３ａ  本体吸込口
３ｂ  本体吹出口
４    化粧パネル
４ａ  パネル吸込口
４ｂ  パネル吹出口
５    ベーン
６    送風機
６ａ  ファン
６ｂ  ファンモータ
７    熱交換器
８    ドレンパン
８ａ  凹部
９    ベルマウス
１０    ドレンポンプ
１０ａ  ポンプ吸込口
１１    排水配管
１１ａ  既設配管
１２    マイクロバブル発生器
１３    マイクロバブル
１４    流路切り替え弁
１５    分岐配管
１６    汚れ捕集部
１７    ＵＶ光源
１８    汚れ
１９    ドレン水
【要約】
【課題】ドレンポンプでの詰まりを防止しドレンパン内の衛生状態を良好に保つことができる空気調和装置を提供する。
【解決手段】空気調和装置において、ドレンパンからドレンポンプにより吸い上げられたドレン水を外部へと排出するための排水配管と、排水配管からドレンポンプを経由せずにドレンパンへと通じる分岐配管と、分岐配管からドレンパンへと戻されるドレン水に含まれる汚れを捕集する汚れ捕集手段と、排水配管のドレンパン側の接続先を、ドレンポンプを経由してドレンパンへと通じる第１の流路と、分岐配管を経由してドレンパンへと通じる第２の流路とで切替可能な切替弁と、ドレンポンプの運転時に前記第１の流路を開きかつ前記第２の流路を閉じるように切替弁を制御し、ドレンポンプの停止時に前記第１の流路を閉じかつ前記第２の流路を開くように切替弁を制御する制御手段と、を備える。
【選択図】図４【図１】
0005327360.tif 000002
【図２】
0005327360.tif 000003
【図３】
0005327360.tif 000004
【図４】
0005327360.tif 000005
【図５】
0005327360.tif 000006
【図６】
0005327360.tif 000007
【図７】
0005327360.tif 000008
【図８】
0005327360.tif 000009